(57)【特許請求の範囲】
【請求項１】
有価媒体が投入される投入部と、
投入された有価媒体の各々を識別する識別部と、
識別された有価媒体を搬送しながら分類する搬送分類機構と、
分類された有価媒体を受け入れるためのカセットが装着可能な複数の収納部と、
前記複数の収納部のそれぞれにカセットが装着されているか否かを検知するカセット検知センサと、
カセットの使用個数に関する使用個数設定を記憶する記憶部と、
制御部と、
画面を表示するとともに操作者の指示入力を受け付け、前記制御部により制御され、前記指示入力の情報を前記制御部に出力する表示・操作部と、を備える有価媒体処理装置であって、
前記使用個数設定が第１の設定である場合には、前記複数の収納部のうちの第１及び第２の収納部にカセットが装着されており、前記制御部は、操作者の認証が完了した場合には、前記第１及び第２の収納部からカセットを回収可能にするようにし、
前記使用個数設定が第２の設定である場合には、前記第１の収納部にカセットが装着されており、前記制御部は、操作者の認証が完了した場合には、前記第１の収納部からカセットを回収可能にし、
前記制御部は、
前記カセット検知センサの検知結果に基づいて、前記使用個数設定を変更するように制御し、
前記使用個数設定に変更があった場合に、前記使用個数設定の変更を確認するための画面を前記表示・操作部に表示させ、
前記使用個数設定に変更がない場合であり且つ設定されているカセットの使用個数と前記複数の収納部に装着されているカセットの個数とが一致しない場合には、前記複数の収納部が備えられた下部ユニットを前記有価媒体処理装置の内部にロックするロック機構のロックを、解除する
ことを特徴とする有価媒体処理装置。
【請求項２】
前記第１の収納部に装着されているカセットを前記第１の収納部にロックし、又、ロックを解除して、装着されているカセットを前記第１の収納部から回収可能にする第１のロック機構と、
前記第２の収納部に装着されているカセットを前記第２の収納部にロックし、又、ロックを解除して、装着されているカセットを前記第２の収納部から回収可能にする第２のロック機構と、をさらに備え、
前記使用個数設定が前記第１の設定では、前記第１及び第２の収納部にカセットが装着されており、前記制御部は、操作者の認証が完了した場合には、前記第１及び第２のロック機構のロックを解除して、前記第１及び第２の収納部からカセットを回収可能にするようにし、
前記使用個数設定が第２の設定では、前記第１の収納部にカセットが装着されており、前記制御部は、操作者の認証が完了した場合には、前記第１のロック機構のロックを解除して、前記第１の収納部からカセットを回収可能にする
ことを特徴とする請求項１に記載の有価媒体処理装置。
【請求項３】
前記使用個数設定が前記第２の設定である場合には、前記第２の収納部にカセットが装着されていない
ことを特徴とする請求項１に記載の有価媒体処理装置。
【請求項４】
前記第１の設定において、前記第１及び第２の収納部からカセットが回収された後、前記第１及び第２の収納部それぞれに次のカセットが装着され、
前記第２の設定において、前記第１の収納部からカセットが回収された後、前記第１の収納部に次のカセットが装着される
ことを特徴とする請求項３に記載の有価媒体処理装置。
【請求項５】
前記制御部は、
前記使用個数設定が前記第１の設定のときにおいて、前記第１及び第２のロック機構のロックを解除して、前記第１及び第２の収納部それぞれからカセットが回収された後、前記カセット検知センサが前記第１の収納部のみに次のカセットが装着されていることを検知した場合には、その後、前記使用個数設定を前記第２の設定に設定する
ことを特徴とする請求項２に記載の有価媒体処理装置。
【請求項６】
前記制御部は、
前記使用個数設定が前記第２の設定のときにおいて、前記第１のロック機構のロックを解除して、前記第１の収納部からカセットが回収された後、前記カセット検知センサが前記第１及び第２の収納部それぞれに次のカセットが装着されていることを検知した場合には、その後、前記使用個数設定を前記第１の設定に設定する
ことを特徴とする請求項５に記載の有価媒体処理装置。
【請求項７】
前記有価媒体処理装置の内部に収納した状態で前記第１及び第２の収納部をロックし、
又、ロックを解除して、前記第１及び第２の収納部を前記有価媒体処理装置の内部から取出可能にする第３のロック機構をさらに備え、
前記制御部は、操作者の認証が完了した場合には、前記第３のロック機構のロックを解除して、前記有価媒体処理装置の内部から前記第１及び第２の収納部を取出可能にする
ことを特徴とする請求項２に記載の有価媒体処理装置。
【請求項８】
前記制御部は、
前記第１及び第２の収納部が前記有価媒体処理装置の内部から取り出される前の前記第１及び第２の収納部に装着されているカセットの第１の個数を取得するとともに、
操作者により認証されて前記第３のロック機構のロックを解除して、前記有価媒体処理装置の内部から前記第１及び第２の収納部が取り出された後、前記第１及び第２の収納部が前記有価媒体処理装置の内部に再び収納されたときの前記第１及び第２の収納部に装着されているカセットの第２の個数を取得するようになっており、
前記制御部は、
前記第１の個数と前記第２の個数とが一致する場合には、前記使用個数設定を現在設定されている使用個数設定に維持し、
一方、前記第１の個数と前記第２の個数とが一致しない場合には、前記使用個数設定を現在設定されている使用個数設定から変更する  
ことを特徴とする請求項７に記載の有価媒体処理装置。
【請求項９】
前記制御部は、
前記使用個数設定が第２の設定のときにおいて、前記カセット検知センサが前記第１の収納部にカセットが装着されていないことを検知したときは、エラーが発生した旨を出力する
ことを特徴とする請求項１に記載の有価媒体処理装置。
【請求項１０】
有価媒体が投入される投入部と、投入された有価媒体の各々を識別する識別部と、識別された有価媒体を搬送しながら分類する搬送分類機構と、分類された有価媒体を受け入れるためのカセットが装着可能な複数の収納部と、前記複数の収納部のそれぞれにカセットが装着されているか否かを検知するカセット検知センサと、カセットの使用個数に関する使用個数設定を記憶する記憶部と、制御部と、画面を表示するとともに操作者の指示入力を受け付け、前記制御部により制御され、前記指示入力の情報を前記制御部に出力する表示・操作部と、を備える有価媒体処理装置の有価媒体処理方法であって、
前記使用個数設定が第１の設定である場合には、前記複数の収納部のうちの第１及び第２の収納部にカセットが装着されており、前記制御部により、操作者の認証が完了した場合には、前記第１及び第２の収納部からカセットを回収可能にするようにし、
前記使用個数設定が第２の設定である場合には、前記第１の収納部にカセットが装着されており、前記制御部により、操作者の認証が完了した場合には、前記第１の収納部からカセットを回収可能にし、
前記制御部により、
前記カセット検知センサの検知結果に基づいて、前記使用個数設定を変更するように制御し、
前記使用個数設定に変更があった場合に、前記使用個数設定の変更を確認するための画面を前記表示・操作部に表示させ、
前記使用個数設定に変更がない場合であり且つ設定されているカセットの使用個数と前記複数の収納部に装着されているカセットの個数とが一致しない場合には、前記複数の収納部が備えられた下部ユニットを前記有価媒体処理装置の内部にロックするロック機構のロックを、解除する
ことを特徴とする有価媒体処理方法。
【発明の詳細な説明】
【技術分野】
【０００１】
本発明は、紙幣、硬貨、商品券等の有価媒体の入金処理を行うための有価媒体処理装置及び有価媒体処理方法に関する。
【背景技術】
【０００２】
従来、売上金の入金処理を行うための貨幣処理装置（有価媒体処理装置）として、売上金入金機が幅広く利用されている。例えば特許文献１、２に、典型的な売上金入金機が開示されている。
【０００３】
このような売上金入金機では、受け入れられた貨幣（有価媒体）の各々が識別されて、正常貨幣が一時保留部に保留される一方で、異常貨幣はリジェクト部へとリジェクトされる。一時保留部に保留された正常貨幣は、当該売上金入金機の操作者による承認がなされた後、対応する収納部へと送り込まれ、収納部に装着されたカセットに収納される。
【０００４】
また、商品券（有価媒体）の入金処理を行うための有価媒体処理装置として、商品券入金機も利用されている。例えば特許文献３に、典型的な商品券入金機が開示されている。
【先行技術文献】
【特許文献】
【０００５】
【特許文献１】特許第３８６８６７７号
【特許文献２】特開２０１５−６９２３７号公報
【特許文献３】報特許第３９２００１１号
【発明の概要】
【発明が解決しようとする課題】
【０００６】
ここで、例えば、警備会社が売上金を売上金入金機から回収する場合、店舗側との契約で回収するカセットの個数及び回収後にセットするカセットの個数で手数料を決定している場合が多数を占めている。
【０００７】
しかし、実際の売上金は、曜日等の時期により変動するが、カセットの使用個数は初期設定(ユーザーは操作不可)で設置時に設定され、警送会社が回収するカセットの個数は固定である。このため、売上金が少ない曜日（時期）であれば空カセットを回収する場合もあり無駄が発生していた。
【０００８】
また、カセットは契約上必ず回収する必要があり、必要に応じて紙幣・硬貨のカセットの使用個数を任意で増減させたいという店舗側の要望に応えることができなかった。
【０００９】
本発明は、以上のような問題点に着目し、これを有効に解決すべく創案されたものである。本発明の目的は、有価媒体を収納するカセットの使用個数を任意で増減させることが可能な有価媒体処理装置及び有価媒体処理方法を提供することにある。
【課題を解決するための手段】
【００１０】
本発明の一態様に係る実施例に従った有価媒体処理装置は、
有価媒体が投入される投入部と、
投入された有価媒体の各々を識別する識別部と、
識別された有価媒体を搬送しながら分類する搬送分類機構と、
分類された有価媒体を受け入れるためのカセットが装着可能な複数の収納部と、
前記複数の収納部のそれぞれにカセットが装着されているか否かを検知するカセット検知センサと、
カセットの使用個数に関する使用個数設定を記憶する記憶部と、
前記カセット検知センサの検知結果に基づいて、前記使用個数設定を変更するように制御する制御部と、を備えることを特徴とする。
【００１１】
前記有価媒体処理装置において、
前記使用個数設定が第１の設定である場合には、前記複数の収納部のうちの第１及び第２の収納部にカセットが装着されており、前記制御部は、操作者の認証が完了した場合には、前記第１及び第２の収納部からカセットを回収可能にするようにし、
前記使用個数設定が第２の設定である場合には、前記第１の収納部にカセットが装着されており、前記制御部は、操作者の認証が完了した場合には、前記第１の収納部からカセットを回収可能にすることを特徴とする。
【００１２】
前記有価媒体処理装置において、
前記第１の収納部に装着されているカセットを前記第１の収納部にロックし、又、ロックを解除して、装着されているカセットを前記第１の収納部から回収可能にする第１のロック機構と、
前記第２の収納部に装着されているカセットを前記第２の収納部にロックし、又、ロックを解除して、装着されているカセットを前記第２の収納部から回収可能にする第２のロック機構と、をさらに備え、
前記使用個数設定が前記第１の設定では、前記第１及び第２の収納部にカセットが装着されており、前記制御部は、操作者の認証が完了した場合には、前記第１及び第２のロック機構のロックを解除して、前記第１及び第２の収納部からカセットを回収可能にするようにし、
前記使用個数設定が第２の設定では、前記第１の収納部にカセットが装着されており、前記制御部は、操作者の認証が完了した場合には、前記第１のロック機構のロックを解除して、前記第１の収納部からカセットを回収可能にすることを特徴とする。
【００１３】
前記有価媒体処理装置において、
前記使用個数設定が前記第２の設定である場合には、前記第２の収納部にカセットが装着されていないことを特徴とする。
【００１４】
前記有価媒体処理装置において、
前記第１の設定において、前記第１及び第２の収納部からカセットが回収された後、前記第１及び第２の収納部それぞれに次のカセットが装着され、
前記第２の設定において、前記第１の収納部からカセットが回収された後、前記第１の収納部に次のカセットが装着されることを特徴とする。
【００１５】
前記有価媒体処理装置において、
前記制御部は、
予め設定された第１の設定期間に、前記使用個数設定を前記第１の設定にし、
前記第１の設定期間と異なる予め設定された第２の設定期間において、前記使用個数設定を前記第２の設定にすることを特徴とする。
【００１６】
前記有価媒体処理装置において、
前記制御部は、
前記使用個数設定が前記第１の設定のときにおいて、前記第１及び第２のロック機構のロックを解除して、前記第１及び第２の収納部それぞれからカセットが回収された後、前記カセット検知センサが前記第１の収納部のみに次のカセットが装着されていることを検知した場合には、その後、前記使用個数設定を前記第２の設定に設定することを特徴とする。
【００１７】
前記有価媒体処理装置において、
前記制御部は、
前記使用個数設定が前記第２の設定のときにおいて、前記第１及び第２のロック機構のロックを解除して、前記第１及び第２の収納部それぞれからカセットが回収された後、前記カセット検知センサが前記第１及び第２の収納部それぞれに次のカセットが装着されていることを検知した場合には、その後、前記使用個数設定を前記第１の設定に設定することを特徴とする。
【００１８】
前記有価媒体処理装置において、
画面を表示するとともに操作者の指示入力を受け付け、前記制御部により制御され、前記指示入力の情報を前記制御部に出力する表示・操作部をさらに備え、
前記制御部は、前記使用個数設定に変更があった場合に、前記使用個数設定の変更を確認するための画面を前記表示・操作部に表示させることを特徴とする。
【００１９】
前記有価媒体処理装置において、
前記制御部は、前記使用個数設定に変更がない場合であり且つ設定されているカセットの使用個数と前記複数の収納部に装着されているカセットの個数とが一致しない場合には、前記複数の収納部が備えられた下部ユニットを前記有価媒体処理装置の内部にロックするロック機構のロックを、解除することを特徴とする。
【００２０】
前記有価媒体処理装置において、
前記有価媒体処理装置の内部に収納した状態で前記第１及び第２の収納部をロックし、又、ロックを解除して、前記第１及び第２の収納部を前記有価媒体処理装置の内部から取出可能にする第３のロック機構をさらに備え、
前記制御部は、操作者の認証が完了した場合には、前記第３のロック機構のロックを解除して、前記有価媒体処理装置の内部から前記第１及び第２の収納部を取出可能にすることを特徴とする。
【００２１】
前記有価媒体処理装置において、
前記制御部は、
前記第１及び第２の収納部が前記有価媒体処理装置の内部から取り出される前の前記第１及び第２の収納部に装着されているカセットの第１の個数を取得するとともに、
操作者により認証されて前記第３のロック機構のロックを解除して、前記有価媒体処理装置の内部から前記第１及び第２の収納部から取り出された後、前記第１及び第２の収納部が前記有価媒体処理装置の内部に再び収納されたときの前記第１及び第２の収納部に装着されているカセットの第２の個数を取得するようになっており、
前記制御部は、  
前記第１の個数と前記第２の個数とが一致する場合には、前記使用個数設定を現在設定されている使用個数設定に維持し、
一方、前記第１の個数と前記第２の個数とが一致しない場合には、前記使用個数設定を現在設定されている使用個数設定から変更することを特徴とする。
【００２２】
前記有価媒体処理装置において、
前記制御部は、
前記使用個数設定が第２の設定のときにおいて、前記カセット検知センサが前記第１の収納部にカセットが装着されていないことを検知したときは、エラーが発生した旨を出力することを特徴とする。
【００２３】
前記有価媒体処理装置において、
前記第１の設定期間は、有価媒体の投入数が多い繁忙期であり、前記第２の設定期間は、前記繁忙期よりも有価媒体の投入数が少ない通常期であることを特徴とする。
【００２４】
前記有価媒体処理装置において、
前記制御部は、
外部のサーバから前記使用個数設定の変更を指示する指示信号を受けた場合には、前記使用個数設定を変更することを特徴とする。
【００２５】
本発明の一態様に係る実施例に従った有価媒体処理方法は、
前記制御部は、前記外部のサーバから前記第１の設定期間のスケジュールの変更を指示する指示信号を受けた場合には、前記第１の設定期間のスケジュールを変更する
ことを特徴とする。
【００２６】
本発明の一態様に係る実施例に従った有価媒体処理方法は、
有価媒体が投入される投入部と、投入された有価媒体の各々を識別する識別部と、識別された有価媒体を搬送しながら分類する搬送分類機構と、分類された有価媒体を受け入れるためのカセットが装着可能な複数の収納部と、前記複数の収納部のそれぞれにカセットが装着されているか否かを検知するカセット検知センサと、カセットの使用個数に関する使用個数設定を記憶する記憶部と、前記カセット検知センサの検知結果に基づいて、前記使用個数設定を変更するように制御する制御部と、を備える有価媒体処理装置の有価媒体処理方法であって、
前記制御部により、前記カセット検知センサの検知結果に基づいて、前記使用個数設定を変更するように制御することを特徴とする。
【発明の効果】
【００２７】
本発明によれば、有価媒体を収納するカセットの使用個数を任意で増減させることができる。
【図面の簡単な説明】
【００２８】
【図１】本発明の一実施の形態に係る貨幣処理装置の構成例を示す概略図である。
【図２】図１の貨幣処理装置の制御系の構成を示す概略ブロック図である。
【図３】図１の貨幣処理装置の第２の設定における集積状況を示す図である。
【図４】図１の貨幣処理装置の第１の設定における回収状況を示す図である。
【図５】図１の貨幣処理装置の第２の設定における回収状況を示す図である。
【図６Ａ】貨幣処理装置１００の表示・操作部７２の画面の表示例を示す図である。
【図６Ｂ】貨幣処理装置１００の表示・操作部７２の画面の表示例を示す図である。
【図６Ｃ】貨幣処理装置１００の表示・操作部７２の画面の表示例を示す図である。
【図７Ａ】貨幣処理装置１００の表示・操作部７２の画面の表示例を示す図である。
【図７Ｂ】貨幣処理装置１００の表示・操作部７２の画面の表示例を示す図である。
【図８】図１の貨幣処理装置の分類条件（１）（２）を示す図表である。
【図９】図１の貨幣処理装置の分類条件（１）に対応する回収状況を示す図である。
【図１０】図１の貨幣処理装置の分類条件（２）に対応する集積状況を示す図である。
【図１１】図１の貨幣処理装置の分類条件（２）に対応する回収状況を示す図である。
【図１２】図１の貨幣処理装置の他の回収状況を示す図である。
【図１３】図１の貨幣処理装置の回収状況の他の例を示す図である。
【図１４】図１の貨幣処理装置の集積状況の他の例を示す図である。
【図１５】図１の貨幣処理装置の回収状況のさらに他の例を示す図である。
【図１６】図１の貨幣処理装置の集積状況のさらに他の例を示す図である。
【発明を実施するための形態】
【００２９】
以下、図面を参照して、本発明の一実施の形態に係る貨幣処理装置（有価媒体処理装置の一種である）を説明する。図１は、本発明の一実施の形態に係る貨幣処理装置１００の構成例を示す概略図であり、図２は、図１の貨幣処理装置の制御系の構成を示す概略ブロック図である。もっとも、本実施の形態は、本発明を限定するものではない。
【００３０】
図１及び図２に示すように、本実施の形態の貨幣処理装置１００は、紙幣や商品券を含む紙葉類（有価媒体）が投入される投入部１０と、投入された紙葉類の各々を識別する識別部２０と、識別された紙葉類を搬送しながら４種別に分類する搬送分類機構３０と、分類された紙葉類が一時的に集積される４つの集積部４１〜４４と、４つの集積部４１〜４４の一部である２つの集積部４３、４４にそれぞれ対応して設けられた２つの収納部５３、５４と、カセット検知センサ６３ａ、６４ａと、収納検知センサＹと、全体制御部７３、硬貨制御部１３６、紙幣制御部３６、及びロック制御部６５を含む制御部Ｘと、を備えている。
【００３１】
本実施の形態の投入部１０は、紙葉類ホッパとして構成されており、投入された紙葉類（紙幣／商品券）を受入れて、１枚ずつ繰出すようになっている。
【００３２】
本実施の形態の識別部２０は、イメージセンサを有して構成されており、紙幣／商品券の区別の他、各紙幣の金種や、各商品券の種別などを識別するようになっている。商品券の種別の識別とは、当該店舗（及びそのチェーン店舗）で発行された商品券／他社で発行された商品券の区別や、当該店舗において処分可能な商品券／他の管理センターへの回収が必要な商品券の区別や、使用期限内の有効な商品券／使用期限切れの無効な商品券（リジェクトされる）の区別等である。
【００３３】
本実施の形態の搬送分類機構３０は、紙葉類を搬送する搬送ベルト機構３５と、搬送路を切り換えるための３つの切換機構３１〜３３と、当該３つの切換機構３１〜３３を制御する紙幣制御部３６とを有して構成されており、紙幣制御部３６が識別部２０による識別結果に基づいて３つの切換機構３１〜３３を制御することによって、識別された紙葉類を４つの集積部４１〜４４に分類して搬送するようになっている。
【００３４】
本実施の形態の第１の集積部４１は、紙葉類リジェクト部として構成されており、リジェクト対象の紙幣類が集積されるようになっている。第１の集積部４１（紙葉類リジェクト部）は、常時外部に解放されていて、常時外部から取出し可能となっている。
【００３５】
本実施の形態の第２の集積部４２は、紙葉類スタッカ部として構成されており、１００枚程度までの紙幣類が集積されるようになっている。第２の集積部４２（紙葉類スタッカ部）は、シャッタ４２ｓを介して外部からアクセス可能となっていて、シャッタ４２ｓの開放時に外部から取出し可能となっている。もっとも、シャッタ４２ｓの設置を省略することも可能である。その場合は、第１の集積部４１（紙葉類リジェクト部）と同様に、常時外部からアクセス可能（紙葉類の取出し可能）となる。
【００３６】
本実施の形態の第３の集積部４３及び第４の集積部４４は、それぞれ紙葉類一時保留部として構成されており、２００枚程度までの紙幣類が集積されるようになっている。そして、当該貨幣処理装置１００の操作者による承認（操作者の認証の完了）の後には、当該紙葉類一時保留部の底面が開放されるようになっていて、一時保留されていた紙葉類が対応する収納部５３、５４に送り込まれるようになっている。また、本実施の形態では、当該貨幣処理装置１００の操作者によって非承認とされた後には、当該紙葉類一時保留部４３、４４が当該貨幣処理装置１００の前方へ引き出し可能となって、一時保留されていた紙葉類を当該貨幣処理装置１００の前方から取出し可能となっている。
【００３７】
本実施の形態の２つの収納部（第１、第２の収納部）５３、５４は、２つの集積部４３、４４に対応して設けられており、２つの収納部５３、５４は紙葉類（有価媒体）を収納可能なカセットが内部に装着されている。各カセットは、収容された紙葉類の回収条件を個別に設定可能となっており、設定された回収条件が満たされた場合にのみ当該貨幣処理装置の外側からアクセス可能となっている。
【００３８】
このように、第１の収納部５３は、分類された有価媒体を受け入れるためのカセットがその内部に装着可能になっている。第２の収納部５４は、分類された有価媒体を受け入れるためのカセットがその内部に装着可能になっている。
【００３９】
そして、カセット検知センサ６３ａ、６４ａは、第１の収納部５３にカセットが装着されているか否か、及び、第２の収納部５４にカセットが装着されているか否かを検知するようになっている。
【００４０】
また、収納検知センサＹは、貨幣処理装置１００の内部に収納部５３、５４を備えた下部ユニットＵが貨幣処理装置１００の内部に収納されているか否かを検知し、この検知結果を制御部Ｘに出力するようになっている。
【００４１】
また、第１のロック機構６３は、第１の収納部５３に装着されているカセットを第１の収納部５３にロックし、又、ロックを解除して、装着されているカセットを第１の収納部５３から回収可能にするようになっている。
【００４２】
また、第２のロック機構６４は、第２の収納部５４に装着されているカセットを第２の収納部５４にロックし、又、ロックを解除して、装着されているカセットを第２の収納部５４から回収可能にするようになっている。
【００４３】
また、制御部Ｘは、操作者の認証を実行するとともに、操作者の認証結果、およびカセット検知センサ６３ａ、６４ａの検知結果に基づいて、第１および第２のロック機構６３、６４を制御するようになっている。なお、制御部Ｘは、操作者の認証が完了した場合には、第１のロック機構６３、６４、後述する第２、第３のロック機構１６２、１６３、１６５のロックを解除する。
【００４４】
本実施の形態では、例えば、２つの収納部５３、５４に対して設定される回収条件は、警送業者が紙葉類の回収を許可しているという条件とされる。このように回収条件が設定されることにより、警送業者による回収作業を管理することが可能である。なお、変形例として、２つの収納部５３、５４の少なくとも一つに対して設定される回収条件は、貨幣処理装置１００が設置される店舗が紙葉類の回収を許可しているという条件とされ、２つの収納部５３、５４の少なくとも他の一つに対して設定される回収条件は、警送業者が紙葉類の回収を許可しているという条件されてもよい。このように回収条件が設定されることにより、店舗自身による回収作業と、警送業者による回収作業とを、それぞれ個別に設定して管理することが可能である。
【００４５】
本実施の形態では、各収納部５３、５４への貨幣処理装置１００の外側からのアクセスを制限する構成として、図１及び図２に示すように、公知のロック機構６３、６４と、当該ロック機構６３、６４を制御するロック制御部６５と、が採用されている。当該ロック制御部６５には、ターミナル７０に内蔵された全体制御部７３を介してＩＣカードリーダ７１が接続されており、警送業者所属の操作者が保有するＩＣカードをＩＣカードリーダ７１が読み取った時、当該警送業者が紙葉類の回収を許可していると判断し、そのような回収条件が設定されている収納部５３、５４に対するアクセスが解放される（ロックが解除される）ようになっている。
【００４６】
このように、制御部Ｘ（全体制御部７３）は、ＩＣカードリーダが接続されており、操作者が保有するＩＣカードの情報をＩＣカードリーダが読み取り、読み取られた情報が有価媒体の回収を許可していると判断することで、操作者の認証が完了するようになっている。  
そして、制御部Ｘは、カセットの使用個数に関する使用個数設定が第１の設定（繁忙期用）では、第１及び第２の収納部５３、５４にカセットが装着されており（図１）、操作者の認証が完了した場合には、第１及び第２のロック機構６３、６４のロックを解除して、第１及び第２の収納部５３、５４からカセットを回収可能にするようになっている。
【００４７】
なお、第１の設定では、第１、第２の収納部５３、５４に対して、装着されるカセットは、２個であり、２個のカセットで運用される（すなわち、カセットの使用個数が２個）。
【００４８】
また、制御部Ｘは、使用個数設定が第２の設定（通常期用）では、第１の収納部５３にカセットが装着されており（図３）、操作者の認証が完了した場合には、第１のロック機構６３のロックを解除して、第１の収納部５３からカセットを回収可能にするようになっている。
【００４９】
ここで、使用個数設定が上記第２の設定である場合には、第２の収納部５４にカセットが装着されていない（図３）。すなわち、この第２の設定では、第１、第２の収納部５３、５４に対して、装着されるカセットは、１個であり、１個のカセットで運用される（すなわち、カセットの使用個数が１個）。  
例えば、上記第１の設定において、警送会社の操作者により第１及び第２の収納部５３、５４からカセットが回収された後、第１及び第２の収納部５３、５４それぞれに次のカセット（新たなカセット）が装着される運用が実行される。
【００５０】
また、上記第２の設定において、警送会社の操作者により第１の収納部５３からカセットが回収された後、第１の収納部５３に次のカセット（新たなカセット）が装着される運用が実行される。
【００５１】
より詳細な設定として、制御部Ｘは、予め設定された第１の設定期間（繁忙期）に、使用個数設定を第１の設定にする。また、制御部Ｘは、第１の設定期間と異なる予め設定された第２の設定期間（通常期）において、その使用個数設定を第２の設定にするようになっている。なお、制御部Ｘは、予め設定された第１、第２の設定期間に関係なく、既述の使用個数設定を第１又は第２の設定に変更できるようになっている。
【００５２】
また、ターミナル７０には、全体制御部７３とＩＣカードリーダ７１とに加えて、タッチパネル等で構成された表示・操作部７２が設けられている。表示・操作部７２は、操作ガイダンスや入金処理時の取引データ等を表示すると共に、操作者の指示入力を受け付けるようになっている。
【００５３】
すなわち、表示・操作部７２は、画面を表示するとともに操作者の指示入力を受け付け、制御部Ｘ（全体制御部７３）により制御され、該指示入力の情報を制御部Ｘ（全体制御部７３）に出力するようになっている。
【００５４】
また、本実施の形態の貨幣処理装置１００には、商品券を無効化するための消し込み部７５が設けられている。本実施の形態の消し込み部７５は、インクジェットプリンタを有して構成されており、無効化情報を商品券に印字できるようになっている。本実施の形態の消し込み部７５は、印字内容を任意に設定可能である他、印字する／しないの設定（切換）も可能である。
【００５５】
続いて、図１及び図２に示すように、本実施の形態の貨幣処理装置１００は、硬貨が投入される硬貨投入部１１０と、投入された硬貨の各々を識別する硬貨識別部１２０と、識別された硬貨を搬送しながら３種別に分類する硬貨搬送分類機構１３０と、分類された硬貨が一時的に集積される３つの硬貨集積部１４１〜１４３と、３つの硬貨集積部１４１〜１４３の一部である２つの硬貨集積部１４２、１４３にそれぞれ対応して設けられた２つの硬貨収納部１５２、１５３と、カセット検知センサ１６２ａ、１６３ａと、既述の収納検知センサＹと、を備えている。
【００５６】
本実施の形態の硬貨投入部１１０は、硬貨ホッパとして構成されており、投入された硬貨を受入れて、１枚ずつ繰出すようになっている。
【００５７】
本実施の形態の硬貨識別部１２０は、磁気センサ等を有して構成されており、真偽の区別の他、各硬貨の金種を識別するようになっている。
【００５８】
本実施の形態の硬貨搬送分類機構１３０は、硬貨制御部１３６によって制御されるソレノイド付き選別部材を有する強制選別機構によって構成されており、識別された硬貨を３つの硬貨集積部１４１〜１４３に分類して搬送するようになっている。本実施の形態の硬貨搬送分類機構１３０は、振分ける硬貨の種別を任意に設定できるようになっている。
【００５９】
本実施の形態の第１の硬貨集積部１４１は、硬貨リジェクト部として構成されており、リジェクト対象の硬貨が集積されるようになっている。第１の硬貨集積部１４１（硬貨リジェクト部）は、常時外部に解放されていて、常時外部から取出し可能となっている。
【００６０】
本実施の形態の第２の硬貨集積部１４２及び第３の硬貨集積部１４３は、それぞれ硬貨一時保留部として構成されており、１００枚程度までの硬貨が集積されるようになっている。そして、当該貨幣処理装置１００の操作者による承認の後には、当該硬貨一時保留部の枠体が移動されるようになっていて、一時保留されていた硬貨が対応する収納部１５２、１５３に送り込まれるようになっている。また、本実施の形態では、当該貨幣処理装置１００の操作者によって非承認とされた後には、当該硬貨一時保留部１４３、１４４の底板が逃げて、一時保留されていた硬貨が当該硬貨一時保留部１４３、１４４の下方の硬貨返却箱１４５、１４６に送り込まれ、当該硬貨返却箱１４５、１４６を介して取出し可能となっている。
【００６１】
本実施の形態の２つの硬貨収納部１５２、１５３は、２つの硬貨集積部１４２、１４３に対応して設けられており、硬貨を収納可能なカセットで構成されている。各硬貨カセットは、収容された硬貨の回収条件を個別に設定可能となっており、設定された回収条件が満たされた場合にのみ当該貨幣処理装置の外側からアクセス可能となっている。
【００６２】
本実施の形態では、例えば、２つの硬貨収納部１５２、１５３に対して設定される回収条件は、警送業者が硬貨の回収を許可しているという条件とされる。このように回収条件が設定されることにより、警送業者による回収作業を管理することが可能である。なお、変形例として、２つの硬貨収納部１５２、１５３の少なくとも一つに対して設定される回収条件は、貨幣処理装置１００が設置される店舗が硬貨の回収を許可しているという条件とされ、２つの硬貨収納部１５２、１５３の少なくとも他の一つに対して設定される回収条件は、警送業者が硬貨の回収を許可しているという条件としてもよい。このように回収条件が設定されることにより、店舗自身による回収作業と、警送業者による回収作業とを、それぞれ個別に設定して管理することが可能である。
【００６３】
また、本実施の形態では、各硬貨収納部１５２、１５３への貨幣処理装置１００の外側からのアクセスを制限する構成として、図１及び図２に示すように、公知のロック機構１６２、１６３と、当該ロック機構１６２、１６３を制御するロック制御部６５と、が採用されている。前述のように、当該ロック制御部６５には、ＩＣカードリーダ７１が接続されており、警送業者所属の操作者が保有するＩＣカードをＩＣカードリーダ７１が読み取った時、当該警送業者が硬貨の回収を許可していると判断し、そのような回収条件が設定されている硬貨収納部１５２、１５３に対するアクセスが解放される（ロックが解除される）ようになっている。
【００６４】
更に、本実施の形態では、下部ユニットＵの引出操作（図４、図５参照）に対するロック機構１６５と、当該ロック機構１６５を制御するロック制御部６５と、が採用されている。すなわち、ロック制御部６５は、５つのロック機構６３、６４、１６３、１６３、１６５を制御するようになっている。
【００６５】
また、カセット検知センサ１６２ａ、１６３ａは、収納部１５２の内部にカセットが装着されているか否か、及び、収納部１５３の内部にカセットが装着されているか否かを検知するようになっている。
【００６６】
また、収納検知センサＹは、貨幣処理装置１００の内部に収納部１５２、１５３を備えた下部ユニットＵが収納されているか否かを検知し、検知結果を制御部Ｘに出力するようになっている。
【００６７】
また、ロック機構１６２、１６３は、硬貨収納部１５２、１５３に装着されているカセットを硬貨収納部１５２、１５３にロックし、又、ロックを解除して、装着されているカセットを硬貨収納部１５２、１５３から回収可能にするようになっている。
【００６８】
また、第３のロック機構１６５は、有価媒体処理装置１００の内部に収納した状態で第１及び第２の収納部５３、５４、硬貨収納部１５２、１５３をロックし、又、ロックを解除して、第１及び第２の収納部５３、５４、硬貨収納部１５２、１５３を有価媒体処理装置１００の内部から取出可能にするようになっている。
【００６９】
なお、制御部Ｘは、操作者の認証が完了した場合には、第３のロック機構１６５のロックを解除して、有価媒体処理装置１００の内部から第１及び第２の収納部５３、５４、硬貨収納部１５２、１５３を取出可能にする。
【００７０】
なお、制御部Ｘは、貨幣処理装置１００の内部から第１及び第２の収納部５３、５４、硬貨収納部１５２、１５３が取り出された後、第１及び第２の収納部５３、５４、硬貨収納部１５２、１５３が貨幣処理装置１００の内部に再び収納されたとき、貨幣処理装置１００の内部に収納した状態で第１及び第２の収納部５３、５４、硬貨収納部１５２、１５３を第３のロック機構１６５によりロックする。
【００７１】
また、本実施の形態の貨幣処理装置１００には、識別された紙葉類ないし硬貨の各集積部４１〜４４ないし各硬貨集積部１４１〜１４３への分類条件（分類パターン）を記憶しておく記憶部８０が設けられている。本実施の形態の記憶部８０は、ターミナル７０内に設けられている。記憶部８０に記憶された当該分類条件は、搬送分類機構３０による紙葉類の搬送ないし分類を制御するための紙幣制御部３６、及び、硬貨搬送分類機構１３０による硬貨の搬送ないし分類を制御するための硬貨制御部１３６、に適時に読み出されるようになっている。
【００７２】
本実施の形態では、記憶部８０は、各収納部５３、５４及び各硬貨収納部１５２、１５３に対して設定される回収条件も記憶するようになっており、各収納部５３、５４及び各硬貨収納部１５２、１５３への貨幣処理装置１００の外側からのアクセスの制限／許容を判別して制御するためにロック制御部６５に適時に読み出されるようになっている。
【００７３】
さらに、本実施の形態の記憶部８０は、識別部２０による紙葉類の識別のための詳細情報（例えば識別処理に用いる辞書データ等）を記憶しており、識別部２０に適時に読み出されるようになっている。
【００７４】
さらに、記憶部８０は、カセットの使用個数に関する使用個数設定を記憶している。
【００７５】
さらに、記憶部８０は、現在設定されている第１の設定期間のスケジュール、及び、現在設定されている第１の設定期間のスケジュールを記憶している。
【００７６】
さらに、記憶部８０は、現在設定されている第１の設定期間のスケジュール、及び、現在設定されている第１の設定期間のスケジュールを記憶している。
【００７７】
また、本実施の形態の貨幣処理装置１００には、入金処理時の取引データや、締め時／回収時等における集計データをプリントアウトするプリンタ装置９５が設けられている。
【００７８】
さらに、本実施の形態の貨幣処理装置１００には、外部機器（管理コンピュータ）等と通信可能で、識別情報や分類条件（分類パターン）を取得したり、入金結果等を送信可能なＩ／Ｆ部９６も設けられている。
【００７９】
ここで、上記のような機能を有する制御部Ｘが、回収される前のカセットのセット状態と、次のカセット（新たなカセット）のセット状態と、の関係に応じて、使用個数設定を維持又は変更する例について説明する。
【００８０】
例えば、制御部Ｘは、使用個数設定が第１の設定のときにおいて、第１及び第２のロック機構６３、６４のロックを解除して、第１及び第２の収納部５３、５４からカセットが回収された（図４）後、カセット検知センサ６３ａ、６４ａが第１及び第２の収納部５３、５４それぞれに次のカセットが装着されていることを検知した場合には、その後、使用個数設定を第１の設定に維持する。
【００８１】
また、制御部Ｘは、使用個数設定が第２の設定のときにおいて、第１のロック機構６３のロックを解除して、第１の収納部５３からカセットが回収された（図５）後、カセット検知センサが第１の収納部５３に次のカセットが装着されていることを検知した場合には、その後、使用個数設定を第２の設定に維持する。
【００８２】
また、制御部Ｘは、使用個数設定が第１の設定のときにおいて、第１及び第２のロック機構６３、６４のロックを解除して、第１及び第２の収納部５３、５４それぞれからカセットが回収された（図４）後、カセット検知センサ６３ａ、６４ａが第１の収納部５３のみに次のカセットが装着されていることを検知した場合には、その後、使用個数設定を第２の設定に設定する。
【００８３】
また、制御部Ｘは、使用個数設定が第２の設定のときにおいて、第１のロック機構６３のロックを解除して、第１の収納部５３からカセットが回収された（図５）後、カセット検知センサ６３ａ、６４ａが第１及び第２の収納部５３、５４それぞれに次のカセットが装着されていることを検知した場合には、その後、使用個数設定を第１の設定に設定する。
【００８４】
なお、制御部Ｘは、使用個数設定が第１の設定のときにおいて、第１及び第２のロック機構６３、６４のロックを解除して、第１及び第２の収納部５３、５４それぞれからカセットが回収された後、カセット検知センサ６３ａ、６４ａが第１の収納部５３のみに次のカセット（新たなカセット）が装着されていることを検知した場合には、使用個数設定を第１の設定から第２の設定に変更してよいか否かを確認するための画面を表示・操作部７２に表示させるようにしてもよい（図６Ａ）。
【００８５】
すなわち、制御部Ｘは、使用個数設定に変更があった場合に、使用個数設定の変更を確認するための画面を表示・操作部７２に表示させる。
【００８６】
例えば、制御部Ｘは、表示・操作部７２に対する操作者の指示入力が使用個数設定を第１の設定から第２の設定に変更してよい旨を示す場合（図６Ａの“ＹＥＳ”が操作された場合）には、設定を第２の設定に設定する。この場合、制御部Ｘは、例えば、設定の変更が完了した旨を表示・操作部７２に表示させるようにしてもよい（図６Ｂ）。
【００８７】
一方、制御部Ｘは、表示・操作部７２に対する操作者の指示入力が使用個数設定を第１の設定から第２の設定に変更しない旨を示す場合（図６Ａの“ＮＯ”が操作された場合）には、使用個数設定を第２の設定に設定しない。この場合、制御部Ｘは、例えば、カセットのセットのやり直しを促す旨を表示・操作部７２に表示させるようにしてもよい（図６Ｃ）。
【００８８】
これにより、使用個数設定を第１の設定から第２の設定に変更する場合に、表示・操作部７２への操作者の指示入力を求めるようにして、誤って使用個数設定が変更されるのを抑制することができる。
【００８９】
特に、制御部Ｘは、使用個数設定に変更がない場合であり且つ設定されているカセットの使用個数と複数の収納部５３、５４に装着されているカセットの個数とが一致しない場合には、下部ユニットＵを有価媒体処理装置１００の内部にロックするロック機構Ｙのロックを、解除するようにしてもよい。
【００９０】
これにより、誤って使用個数設定が変更されるのを抑制するとともに、使用個数設定の再設定が可能となる。
【００９１】
同様に、制御部Ｘは、使用個数設定が第２の設定のときにおいて、第１のロック機構６３のロックを解除して、第１の収納部５３からカセットが回収された後、カセット検知センサ６３ａ、６４ａが第１及び第２の収納部５３、５４それぞれに次のカセットが装着されていることを検知した場合には、使用個数設定を第１の設定から第２の設定に変更してよいか否かを確認するための画面を表示・操作部７２に表示させるようにしてもよい（図６Ａ）。
【００９２】
例えば、制御部Ｘは、表示・操作部７２に対する操作者の指示入力が使用個数設定を第１の設定から第２の設定に変更してよい旨を示す場合（図６Ａの“ＹＥＳ”が操作された場合）には、使用個数設定を第２の設定に設定する。この場合、制御部Ｘは、例えば、設定の変更が完了した旨を表示・操作部７２に表示させるようにしてもよい（図６Ｂ）。
【００９３】
一方、制御部Ｘは、表示・操作部７２に対する操作者の指示入力が使用個数設定を第１の設定から第２の設定に変更しない旨を示す場合（図６Ａの“ＮＯ”が操作された場合）には、使用個数設定を第２の設定に設定しない。そして、装置内部を再オープンし処理を始めからやり直すこととなる。この場合、制御部Ｘは、例えば、カセットのセットのやり直しを促す旨を表示・操作部７２に表示させるようにしてもよい（図６Ｃ）。
【００９４】
これにより、使用個数設定を第２の設定から第１の設定に変更する場合に、表示・操作部７２への操作者の指示入力を求めるようにして、誤って使用個数設定が変更されるのを抑制することができる。
【００９５】
特に、制御部Ｘは、回収される前のカセットの数とセットされた次のカセット（新たなカセット）の数との関係に応じて、その使用個数設定を維持又は変更するようにしてもよい。
【００９６】
例えば、制御部Ｘは、第１及び第２の収納部からカセットが取り出される（回収される）前に、カセット検知センサ６３ａ、６４ａの検知結果に基づいて、第１及び第２の収納部５３、５４に装着されているカセットの第１の個数を取得する。
【００９７】
さらに、制御部Ｘは、第１及び第２の収納部からカセットが取り出された後、カセット検知センサ６３ａ、６４ａの検知結果に基づいて、第１及び第２の収納部５３、５４に装着されている次のカセット（新たなカセット）の第２の個数を取得する。
【００９８】
そして、制御部Ｘは、取得した第１の個数と第２の個数とが一致する場合には、その使用個数設定を現在設定されている使用個数設定に維持する。
【００９９】
具体的には、制御部Ｘは、既述の第１の個数が１個であり且つ第２の個数が１個である場合には、使用個数設定を第１の設定に維持する。また、制御部Ｘは、第１の個数が２個であり且つ第２の個数が２個である場合には、使用個数設定を第２の設定に維持する。
【０１００】
一方、制御部Ｘは、第１の個数と第２の個数とが一致しない場合には、使用個数設定を現在設定されている使用個数設定から変更する。
【０１０１】
具体的には、制御部Ｘは、第１の個数が２個であり且つ第２の個数が１個である場合には、使用個数設定を第１の設定に変更する。また、制御部Ｘは、第１の個数が１個であり且つ第２の個数が２個である場合には、使用個数設定を第２の設定に変更する。
【０１０２】
なお、既述のように、使用個数設定を変更する場合に、表示・操作部７２への操作者の指示入力を求めるようにして、誤って使用個数設定が変更されるのを抑制するようにしてもよい。
【０１０３】
ここで、操作者が既述の第１の設定期間のスケジュールを変更する例の一例について説明する。
【０１０４】
例えば、操作者が既述の第１の設定期間のスケジュールを変更する場合に、制御部Ｘは、第１の設定期間を設定するための画面を表示・操作部７２に表示させるとともに、表示・操作部７２に対する操作者の指示入力により第１の設定期間のスケジュールを受け付ける。  
この場合、制御部Ｘは、第１の設定期間のスケジュールを変更してよいか否かを確認するための画面を表示・操作部７２に表示させるようにしてもよい（図７Ａ）。そして、制御部Ｘは、表示・操作部７２に対する操作者の指示入力が変更してよい旨を示す場合（図７Ａの“ＹＥＳ”が操作された場合）には、第１の設定期間のスケジュールを変更する。そして、制御部Ｘは、例えば、設定の変更が完了した旨を表示・操作部７２に表示させるようにしてもよい（図７Ｂ）。一方、制御部Ｘは、表示・操作部７２に対する操作者の指示入力が変更しない旨を示す場合（図７Ａの“ＮＯ”が操作された場合）には、第１の設定期間のスケジュールを変更しない。
【０１０５】
そして、制御部Ｘは、変更された第１の設定期間のスケジュール通りにカセットが装着されているか否かを、カセット検知センサ６３ａ、６４ａの検知結果に基づいて判断する。そして、例えば、制御部Ｘは、変更された第１の設定期間のスケジュール通りにカセットが装着されていない場合には、下部ユニットＵを有価媒体処理装置１００の内部にロックするロック機構Ｙのロックを、解除するようにしてもよい。これにより、操作者が再度カセットをセットすることが可能となる。
【０１０６】
このように、表示・操作部７２に対する操作者の指示入力により第１の設定期間のスケジュールを変更することができる。
【０１０７】
なお、制御部Ｘは、使用個数設定が第２の設定（通常期用）のときにおいて、カセット検知センサが第２の収納部５４にカセットが装着されていないことを検知しても、エラーが発生した旨を示す信号を出力しないようにする。
【０１０８】
これにより、使用するカセットを１個で運用する際に、操作者は、第２の収納部５４にカセットを装着しなくてもよいことを認識することができる。  
また、制御部Ｘは、使用個数設定が第２の設定のときにおいて、カセット検知センサが第１の収納部５３にカセットが装着されていないことを検知したときは、エラーが発生した旨を出力するようにしてもよい。
【０１０９】
これにより、使用するカセットを１個で運用する際に、操作者は、第１の収納部５３にカセットを装着する必要があることを認識することができる。
【０１１０】
なお、例えば、第１の設定期間は、有価媒体の投入数が多い繁忙期に設定され、第２の設定期間は、該繁忙期よりも有価媒体の投入数が少ない通常期に設定される。
【０１１１】
例えば、売上金が多くなる曜日を、該第１の設定期間に設定して、カセットの使用数を多くする。一方、売上金が少なくなる曜日を、該第２の設定期間に設定して、カセットの使用数を少なくする。
【０１１２】
このようにして、曜日単位にカセットの使用個数が設定可能となる。設置時の設定に拘わらず、店舗側でカセット使用個数を自由に設定できるようになる。そして、回収カセットの個数を適正値にすることで、例えば、警送会社の手数料の削減を図ることができる。
【０１１３】
さらに、通常期と繁忙期で紙幣・硬貨のカセット使用個数を任意で増減させることができる。そして、回収カセットの個数を削減することで手数料の削減を可能とする。
【０１１４】
ここで、例えば、制御部Ｘは、使用個数設定に関する情報を外部のサーバＺ（例えば、警送会社のサーバ）に送信するようにしてもよい。
【０１１５】
これにより、警送会社の操作者は、このサーバＺが受信した情報に基づいて、貨幣処理装置１００の制御部Ｘの使用個数設定に関する情報を取得することができる。
【０１１６】
また、例えば、制御部Ｘは、外部のサーバＺから使用個数設定の変更を指示する指示信号を受けた場合には、使用個数設定を変更するようにしてもよい。
【０１１７】
これにより、警送会社の操作者は、遠隔操作で、貨幣処理装置１００の使用個数設定を変更することができる。
【０１１８】
また、制御部Ｘは、外部のサーバＺから第１の設定期間のスケジュールの変更を指示する指示信号を受けた場合には、第１の設定期間のスケジュールを変更するようにしてもよい。
【０１１９】
なお、例えば、貨幣又は商品券が収納されるカセットの外側に識別用のシールが貼り付けられているようにしてもよい。さらに、当該カセットに貨幣が収納されている場合のシールと、当該カセットに商品券が収納されている場合のシールとは、異なるようにしてもよい。
【０１２０】
これにより、制御部Ｘは、当該シールを光学的に識別することで、当該カセットに貨幣又は商品券が収納されていることを判別するとともに、貨幣と商品券のどちらが収納されているか否かも判別することができる。さらに、制御部Ｘは、このシールを識別することで、紙幣が収納されるカセットとの判別が可能になる。
【０１２１】
次に、以上のような貨幣処理装置（有価媒体処理装置）１００を用いた貨幣処理方法（有価媒体処理方法）について説明する。まずは、紙幣及び硬貨を処理する場合の分類条件（１）（２）について説明する。図８に示すように、これらの分類条件（１）（２）においては、商品券の投入は想定されておらず、紙幣と硬貨とが分類されて収納される。
【０１２２】
具体的には、分類条件（１）では、収納部５３に装着されたカセット１に対応する第３の集積部４３（一方の紙葉類一時保留部）に、売上金として回収予定の紙幣が搬送されていき、収納部５３に装着されたカセット１がフル状態になる時に、もう一つの収納部５４に装着されたカセット２に対応する第４の集積部４４（他方の紙葉類一時保留部）に、売上金として回収予定の紙幣が搬送されていく。識別部２０によって紙葉類リジェクト紙幣と識別された紙葉類は、第１の集積部４１である紙葉類リジェクト部に送られるようになっている。分類条件（１）では、第２の集積部４２である紙葉類スタッカ部は使用されない。
【０１２３】
硬貨についても同様で、分類条件（１）では、硬貨収納部１５２に装着されたカセット１に対応する第２の硬貨集積部１４２に、売上金として回収予定の硬貨が搬送されていき、硬貨収納部１５２に装着されたカセット１がフル状態になる時に、もう一つの硬貨収納部１５３に装着されたカセット２に対応する第３の硬貨集積部１４３に、売上金として回収予定の硬貨が搬送されていく。識別部２０によってリジェクト硬貨と識別された硬貨は、第１の集積部１４１である硬貨リジェクト部に送られるようになっている。
【０１２４】
次に、図９を参照しながら、分類条件（１）に基づく貨幣処理のフローの前半を説明する。図９は、分類条件（１）に対応する集積状況を示す図である。
【０１２５】
（ステップＳ１０１）予め、記憶部８０に、前記した分類条件（１）が記憶される。
【０１２６】
（ステップＳ１０２）また、予め、記憶部８０に、分類条件（１）に対応する回収条件が記憶される。本実施の形態では、全ての紙幣／硬貨が売上金として警送業者によって回収されることを想定し、回収条件は、警送業者が収容された紙幣／硬貨の回収を許可しているという条件とされている。具体的には、警送業者所属の操作者が保有するＩＣカードがＩＣカードリーダ７１を介して読み取られることが、回収条件とされている。（この回収条件が満たされた時に、ロック制御部６５は全てのロック機構６３、６４、１６２、１６３、１６５を解除するようになっている。）
（ステップＳ１１１）以上の状態で、紙葉類が投入部１０に投入される。
【０１２７】
（ステップＳ１１２）投入された紙葉類の各々は、識別部２０によって識別される。
【０１２８】
（ステップＳ１１３）識別された紙葉類は、搬送分類機構３０によって分類条件（１）に従って、リジェクト紙幣であれば第１の集積部４１（紙葉類リジェクト部）に搬送され、正常紙幣であれば第３の集積部４３（一方の紙葉類一時保留部）に搬送される。
【０１２９】
（ステップＳ１１４）第１の集積部４１（紙葉類リジェクト部）または第３の集積部４３（一方の紙葉類一時保留部）に搬送された各紙幣は、そこで一時的に集積される。
【０１３０】
（ステップＳ１１５）第３の集積部４３に集積された紙幣は、適宜のタイミングで（一般には、操作者による承認がなされた後で）、対応する収納部５３に収納される。すなわち、当該紙幣は、収納部５３に装着されたカセット１内に収納される。
【０１３１】
（ステップＳ１２０）識別部２０による識別結果をカウントすることで所定の枚数の正常紙幣がカセット１に収納されることが見込まれると、分類条件（１）に従って、搬送分類機構３０による制御態様が変更される。具体的には、紙幣制御部３６において、識別された紙葉類が正常紙幣である場合について、それまでの第３の集積部４３への搬送制御が、第４の集積部４４への搬送制御に切り換えられる。
【０１３２】
（ステップＳ１２１、Ｓ１２２）前記搬送制御の切り換え後、投入部１０に投入された紙葉類の各々は、同様に識別部２０によって識別される。
【０１３３】
（ステップＳ１２３）識別された紙葉類は、搬送分類機構３０によって分類条件（１）に従って、リジェクト紙幣であれば第１の集積部４１（紙葉類リジェクト部）に搬送され、正常紙幣であれば、今度は第４の集積部４４（他方の紙葉類一時保留部）に搬送される。
【０１３４】
（ステップＳ１２４）第１の集積部４１（紙葉類リジェクト部）または第４の集積部４４（他方の紙葉類一時保留部）に搬送された各紙幣は、そこで一時的に集積される。
【０１３５】
（ステップＳ１２５）第４の集積部４４に集積された紙幣は、適宜のタイミングで（一般には、操作者による承認がなされた後で）、対応する収納部５４に収納される。すなわち、収納部５４に装着されたカセット２内に収納される。
【０１３６】
以上のようなフローにより、売上金として回収予定の紙幣が先ずは収納部５３に装着されたカセット１に装填されていき、当該カセット１がフル状態になった後に、もう一つの収納部５４に装着されたカセット２に装填されていく、という制御を実現することができる。
【０１３７】
そして、後述する回収作業によりカセット１の回収が行われることにより、その後、カセット２がフル状態になった後に、新たに装着されたカセット１に正常紙幣が装填されていく、という制御を実現することができる。
【０１３８】
硬貨についても同様で、最初に（ステップＳ１０１）及び（ステップＳ１０２）が実施され、その後、以下のフローが続く。
【０１３９】
（ステップＳ１３１）硬貨が硬貨投入部１１０に投入される。
【０１４０】
（ステップＳ１３２）投入された硬貨の各々は、硬貨識別部１２０によって識別される。
【０１４１】
（ステップＳ１３３）識別された硬貨は、硬貨搬送分類機構１３０によって分類条件（１）に従って、リジェクト硬貨であれば第１の硬貨集積部１４１（硬貨リジェクト部）に搬送され、正常硬貨であれば第２の硬貨集積部１４２（一方の硬貨一時保留部）に搬送される。
【０１４２】
（ステップＳ１３４）第１の硬貨集積部１４１（硬貨リジェクト部）または第２の硬貨集積部１４２（一方の硬貨一時保留部）に搬送された各硬貨は、そこで一時的に集積される。
【０１４３】
（ステップＳ１３５）第２の硬貨集積部１４２に集積された硬貨は、適宜のタイミングで（一般には、操作者による承認がなされた後で）、対応する硬貨収納部１５２に収納される。すなわち、当該硬貨は、硬貨収納部１５２に装着されたカセット１内に収納される。
【０１４４】
（ステップＳ１４０）硬貨識別部１２０による識別結果をカウントすることで所定の枚数の正常硬貨がカセット１に収納されることが見込まれると、分類条件（１）に従って、硬貨搬送分類機構１３０による制御態様が変更される。具体的には、硬貨制御部１３６において、識別された硬貨が正常硬貨である場合について、それまでの第２の硬貨集積部１４２への搬送制御が、第３の硬貨集積部１４３への搬送制御に切り換えられる。
【０１４５】
（ステップＳ１４１、Ｓ１４２）前記搬送制御の切り換え後、硬貨投入部１１０に投入された硬貨の各々は、同様に硬貨識別部１２０によって識別される。
【０１４６】
（ステップＳ１４３）識別された硬貨は、硬貨搬送分類機構１３０によって分類条件（１）に従って、リジェクト硬貨であれば第１の硬貨集積部１４１（硬貨リジェクト部）に搬送され、正常硬貨であれば、今度は第３の硬貨集積部１４３（他方の硬貨一時保留部）に搬送される。
【０１４７】
（ステップＳ１４４）第１の硬貨集積部１４１（硬貨リジェクト部）または第３の硬貨集積部１４２（他方の硬貨一時保留部）に搬送された各硬貨は、そこで一時的に集積される。
【０１４８】
（ステップＳ１４５）第３の集積部１４３に集積された硬貨は、適宜のタイミングで（一般には、操作者による承認がなされた後で）、対応する硬貨収納部１５３に収納される。すなわち、硬貨収納部１５３に装着されたカセット２内に収納される。
【０１４９】
以上のようなフローにより、売上金として回収予定の硬貨が先ずは硬貨収納部１５２に装着されたカセット１に装填されていき、当該カセット１がフル状態になった後に、もう一つの硬貨収納部１５３に装着されたカセット２に装填されていく、という制御を実現することができる。
【０１５０】
そして、後述する回収作業によりカセット１の回収が行われることにより、その後、カセット２がフル状態になった後に、新たに装着されたカセット１に正常紙幣が搬送されていく、という制御を実現することができる。
【０１５１】
続いて、図４を参照しながら、分類条件（１）に基づく貨幣処理のフローの後半を説明する。図４は、分類条件（１）に対応する回収状況を示す図である。
【０１５２】
（ステップＳ１６１）回収作業を行おうとする操作者のＩＣカードが、ＩＣカードリーダ７１を介して読み取られる。
【０１５３】
（ステップＳ１６２）ＩＣカードリーダ７１を介して読み取られたＩＣカードが、警送業者所属の操作者が保有するＩＣカードであると判別されると、ロック制御部６５が全てのロック機構６３、６４、１６２、１６３、１６５を解除する。
【０１５４】
（ステップＳ１６３）ロック制御部６５がロック機構１６５を解除すると、収納部５３、５４及び硬貨収納部１５２、１５３を貨幣処理装置１００の前方に引き出すことが可能となる。
【０１５５】
（ステップＳ１６４）この状態で、回収作業を行おうとする操作者は、収納部５３、５４及び硬貨収納部１５２、１５３を貨幣処理装置１００の前方に引き出して、ロック機構６３、６４、１６２、１６３が解除された各収納部５３、５４及び各硬貨収納部１５２、１５３からカセットを回収し、代わりに空のカセットを装着する。
【０１５６】
そして、既述のように、制御部Ｘが、回収される前のカセットのセット状態と、次のカセット（新たなカセット）のセット状態と、の関係に応じて、その使用個数設定を維持又は変更する。特に、既述のように、制御部Ｘは、回収される前のカセットの数とセットされた次のカセット（新たなカセット）の数との関係に応じて、その使用個数設定を維持又は変更するようにしてもよい。
【０１５７】
また、既述のように、このタイミングで、操作者が第１の設定期間のスケジュールを変更するようにしてもよい。
【０１５８】
（ステップＳ１６５）収納部５３、５４及び硬貨収納部１５２、１５３が貨幣処理装置１００の前方から元に戻されると、全体のロック機構１６５と各ロック機構６３、６４、１６２、１６３が再びロックされる。
【０１５９】
以上のようなフローにより、警送業者所属の操作者によってのみ収納された紙幣及び硬貨を回収させることを、確実に実現することが可能である。
【０１６０】
次に、分類条件（１）に対して代替的に採用することができる分類条件（２）についての詳細を説明する。分類条件（２）では、図８に示すように、収納部５３に装着されたカセット１に対応する第３の集積部４３に、釣銭準備金として再利用予定の紙幣が搬送されていき、もう一つの収納部５４に装着されたカセット２に対応する第４の集積部４４に、売上金として回収予定の紙幣が搬送されていく。識別部２０によってリジェクト紙幣と識別された紙葉類は、第１の集積部４１である紙葉類リジェクト部に送られるようになっている。分類条件（２）では、第２の集積部４２である紙葉類スタッカ部は使用されない。
【０１６１】
硬貨についても同様で、分類条件（１）では、硬貨収納部１５２に装着されたカセット１に対応する第２の硬貨集積部１４２に、釣銭準備金として再利用予定の硬貨が搬送されていき、もう一つの硬貨収納部１５３に装着されたカセット２に対応する第３の硬貨集積部１４３に、売上金として回収予定の硬貨が搬送されていく。識別部２０によってリジェクト硬貨と識別された硬貨は、第１の集積部１４１である硬貨リジェクト部に送られるようになっている。
【０１６２】
図１０を参照しながら、分類条件（２）に基づく貨幣処理のフローの前半を説明する。図１０は、分類条件（２）に対応する集積状況を示す図である。
【０１６３】
（ステップＳ２０１）予め、記憶部８０に、前記した分類条件（２）が記憶される。
【０１６４】
（ステップＳ２０２）また、予め、記憶部８０に、分類条件（２）に対応する回収条件が記憶される。本実施の形態の回収条件は、収納部５３及び硬貨収納部１５２に対しては、当該貨幣処理装置１００が設置されている店舗が回収を許可しているという条件とされ、他の収納部５４及び硬貨収納部１５３に対しては、警送業者が回収を許可しているという条件とされている。具体的には、収納部５３及び硬貨収納部１５２に対しては、店舗所属の操作者が保有するＩＣカードがＩＣカードリーダ７１を介して読み取られることが、回収条件とされており、他の収納部５４及び硬貨収納部１５３に対しては、警送業者所属の操作者が保有するＩＣカードがＩＣカードリーダ７１を介して読み取られることが、回収条件とされている。（各回収条件が満たされた時に、ロック制御部６５は、対応するロック機構６３、１６２、または、ロック機構６４、１６３を解除するようになっている。）
【０１６５】
（ステップＳ２１１）以上の状態で、紙葉類が投入部１０に投入される。
【０１６６】
（ステップＳ２１２）投入された紙葉類の各々は、識別部２０によって識別される。
【０１６７】
（ステップＳ２１３）識別された紙葉類は、搬送分類機構３０によって分類条件（２）に従って、リジェクト紙幣であれば第１の集積部４１（紙葉類リジェクト部）に搬送され、釣銭準備金として再利用対象となる紙幣であれば第３の集積部４３（一方の紙葉類一時保留部）に搬送され、売上金として回収対象となる紙幣であれば第４の集積部４４（他方の紙葉類一時保留部）に搬送される。
【０１６８】
（ステップＳ２１４）第１の集積部４１（紙葉類リジェクト部）、第３の集積部４３（一方の紙葉類一時保留部）または第４の集積部４４（他方の紙葉類一時保留部）に搬送された各紙幣は、そこで一時的に集積される。
【０１６９】
（ステップＳ２１５）第３の集積部４３に集積された紙幣は、適宜のタイミングで（一般には、操作者による承認がなされた後で）、対応する収納部５３に収納される。すなわち、収納部５３に装着されたカセット１内に収納される。同様に、第４の集積部４４に集積された紙幣は、適宜のタイミングで（一般には、操作者による承認がなされた後で）、対応する収納部５４に収納される。すなわち、収納部５４に装着されたカセット２内に収納される。
【０１７０】
以上のようなフローにより、釣銭準備金として再利用予定の紙幣がカセット１に装填されていき、売上金として回収予定の紙幣がカセット２に装填されていく、という制御を実現することができる。
【０１７１】
硬貨についても同様で、最初に（ステップＳ２０１）及び（ステップＳ２０２）が実施され、その後、以下のフローが続く。
【０１７２】
（ステップＳ２３１）硬貨が硬貨投入部１１０に投入される。
【０１７３】
（ステップＳ２３２）投入された硬貨の各々は、硬貨識別部１２０によって識別される。
【０１７４】
（ステップＳ２３３）識別された硬貨は、硬貨搬送分類機構１３０によって分類条件（１）に従って、リジェクト硬貨であれば第１の硬貨集積部１４１（硬貨リジェクト部）に搬送され、釣銭準備金として再利用対象となる硬貨であれば第２の硬貨集積部１４２（一方の硬貨一時保留部）に搬送され、売上金として回収対象となる硬貨であれば第３の硬貨集積部１４３（他方の硬貨一時保留部）に搬送される。
【０１７５】
（ステップＳ２３４）第１の硬貨集積部１４１（硬貨リジェクト部）、第２の硬貨集積部１４２（一方の硬貨一時保留部）または第３の硬貨集積部１４３（他方の硬貨一時保留部）に搬送された各硬貨は、そこで一時的に集積される。
【０１７６】
（ステップＳ２１５）第２の硬貨集積部１４２に集積された硬貨は、適宜のタイミングで（一般には、操作者による承認がなされた後で）、対応する硬貨収納部１５２に収納される。すなわち、硬貨収納部１５２に装着されたカセット１内に収納される。同様に、第３の硬貨集積部１４３に集積された硬貨は、適宜のタイミングで（一般には、操作者による承認がなされた後で）、対応する硬貨収納部１５３に収納される。すなわち、硬貨収納部１５３に装着されたカセット２内に収納される。
【０１７７】
以上のようなフローにより、釣銭準備金として再利用予定の硬貨がカセット１に装填されていき、売上金として回収予定の硬貨がカセット２に装填されていく、という制御を実現することができる。
【０１７８】
続いて、図１１を参照しながら、分類条件（２）に基づく貨幣処理のフローの後半を説明する。図１１は、分類条件（２）に対応する回収状況を示す図である。
【０１７９】
（ステップＳ２６１）回収作業を行おうとする操作者のＩＣカードが、ＩＣカードリーダ７１を介して読み取られる。
【０１８０】
（ステップＳ２６２）ＩＣカードリーダ７１を介して読み取られたＩＣカードが、店舗所属の操作者が保有するＩＣカードであると判別されると、ロック制御部６５が収納部５３及び硬貨収納部１５２に対応するロック機構６３、１６２、及び、下部ユニットＵの全体のロック機構１６５を解除する。
【０１８１】
（ステップＳ２６３）ロック制御部６５がロック機構１６５を解除すると、収納部５３、５４及び硬貨収納部１５２、１５３を貨幣処理装置１００の前方に引き出す（貨幣処理装置１００の内部から取り出す）ことが可能となる。
【０１８２】
（ステップＳ２６４）この状態で、回収作業を行おうとする操作者は、収納部５３、５４及び硬貨収納部１５２、１５３を貨幣処理装置１００の前方に引き出して、ロック機構６３、１６２が解除された収納部５３及び硬貨収納部１５２からカセットを回収し、代わりに空のカセットを装着する。
【０１８３】
（ステップＳ２６５）収納部５３、５４及び硬貨収納部１５２、１５３が貨幣処理装置１００の前方から元に戻される（貨幣処理装置１００の内部に収納される）と、全体のロック機構１６５と各ロック機構６３、１６２が再びロックされる。
【０１８４】
以上のようなフローにより、店舗所属の操作者によってのみ釣銭準備金として再利用する紙幣及び硬貨を回収させることを、確実に実現することが可能である。
【０１８５】
これに対して、売上金としての紙幣及び硬貨の回収は、以下のようなフローに従って行われる。最初に（ステップＳ２６１）が実施され、その後、以下のフローが続く。
【０１８６】
（ステップＳ２７２）ＩＣカードリーダ７１を介して読み取られたＩＣカードが、警送業者所属の操作者が保有するＩＣカードであると判別されると、ロック制御部６５が収納部５４及び硬貨収納部１５３に対応するロック機構６４、１６３、及び、下部ユニットＵの全体のロック機構１６５を解除する。
【０１８７】
（ステップＳ２７３）ロック制御部６５がロック機構１６５を解除すると、収納部５３、５４及び硬貨収納部１５２、１５３を貨幣処理装置１００の前方に引き出すことが可能となる。
【０１８８】
（ステップＳ２７４）この状態で、回収作業を行おうとする操作者は、収納部５３、５４及び硬貨収納部１５２、１５３を貨幣処理装置１００の前方に引き出して（貨幣処理装置１００の内部から取り出して）、ロック機構６４、１６３が解除された収納部５４及び硬貨収納部１５３からカセットを回収し、代わりに空のカセットを装着する。
【０１８９】
（ステップＳ２７５）収納部５３、５４及び硬貨収納部１５２、１５３が貨幣処理装置１００の前方から元に戻される（貨幣処理装置１００の内部に収納される）と、全体のロック機構１６５と各ロック機構６４、１６３が再びロックされる。
【０１９０】
以上のようなフローにより、警送業者所属の操作者によってのみ売上金として収納された紙幣及び硬貨を回収させることを、確実に実現することが可能である。
【０１９１】
以上のような態様によれば、回収紙幣ないし回収硬貨については警送業者による回収作業が可能である一方、釣銭準備金については店舗による回収作業が可能となり、回収作業の効率が顕著に向上される。
【０１９２】
なお、前記態様において、下部ユニットＵの全体のロック機構１６５を解除しない回収作業も可能である。例えば、図１２に示すように、下部ユニットＵの全体を引き出すことなく、収納部５３のみを取り出して回収作業を実施してもよい。この場合には、収納部５３に対応するロック機構６３のみが解除され、他のロック機構６４、１６２、１６３はロックされた状態を維持する。
【０１９３】
なお、前記実施の形態の貨幣処理装置１００は、２つの紙葉類用の収納部５３、５４と２つの硬貨用の収納部１５２、１５３とを備えていたが、それらの個数を更に増やしてもよい。この場合、分類パターンが増えて、多岐に亘る分類条件を設定することができる。
【０１９４】
具体的には、例えば、紙幣や硬貨を金種毎に収納したり、商品券をより細かく分類したり、といったことが実現可能である。
【０１９５】
分類条件や回収条件を記憶部８０に記憶させる工程は、貨幣処理装置１００の設置前に、工場において実施されてもよいし、貨幣処理装置１００の設置時に、表示・操作部７２を介して実施されてもよいし、外部Ｉ／Ｆ９５を介して外部装置（管理装置等）によって実施されてもよい。
【０１９６】
また、例えば、図１３に示すように、警送会社の操作者が、例えば、紙幣が収納されたカセットを回収するタイミングで、硬貨が収納されたカセットを収納部１５２に装着（硬貨を投入）するとともに、商品券が収納されたカセットを収納部１５３に装着（商品券を投入）するようにしてもよい。この場合、貨幣処理装置１００の内部には、硬貨が収納されたカセットを装着した収納部１５２と、商品券が収納されたカセットを装着した収納部１５３と、が収納されることとなる（図１４）。
【０１９７】
そして、店舗側の操作者は、例えば、図１１で収納部１５２に装着された硬貨カセットの釣銭準備金を回収するフローと同様のフローで、収納部１５２に装着されたカセットから硬貨を回収するとともに、収納部１５３に装着されたカセットから商品券を回収することができる。
【０１９８】
また、例えば、図１５に示すように、警送会社の操作者が、例えば、紙幣が収納されたカセットを回収するタイミングで、商品券が収納されたカセットを収納部１５２に装着するとともに、商品券が収納されたカセットを収納部１５３に装着するようにしてもよい。この場合、貨幣処理装置１００の内部には、商品券が収納されたカセットを装着した収納部１５２と、商品券が収納されたカセットを装着した収納部１５３と、が収納されることとなる（図１６）。
【０１９９】
そして、店舗側の操作者は、例えば、図１１で収納部１５２に装着された硬貨カセットの釣銭準備金を回収するフローと同様のフローで、収納部１５２に装着されたカセットから商品券を回収するとともに、収納部１５３に装着されたカセットから商品券を回収することができる。
【０２００】
上記場合、既述のように、貨幣又は商品券が収納されるカセットの外側に識別用のシールが貼り付けられているようにしてもよい。さらに、当該カセットに貨幣が収納されている場合のシールと、当該カセットに商品券が収納されている場合のシールとは、異なるようにしてもよい。
【０２０１】
これにより、制御部Ｘは、当該シールを光学的に識別することで、当該カセットに貨幣又は商品券が収納されていることを判別するとともに、貨幣と商品券のどちらが収納されているか否かも判別することができる。さらに、制御部Ｘは、このシールを識別することで、紙幣が収納されるカセットとの判別が可能になる。
【０２０２】
既述の実施形態において、更に、分類条件や回収条件は、収納部５３、５４ないし硬貨収納部１５２、１５３に装着される各カセットに設けられたカセット情報記憶部に記憶されたカセット情報に基づいて決定されて、記憶部８０に記憶されてもよい。カセット情報記憶部は、例えばＩＣタグであり、当該ＩＣタグに記憶されたカセット情報は、ＩＣタグリーダによって読み出され得る。カセット情報記憶部は、識別スイッチ部として形成されて、当該識別スイッチ部に表現されたカセット情報がフォトセンサによって識別されてもよい。
【０２０３】
ここで、カセット情報とは、当該カセットによって収納される収納対象物の区別（売上金紙幣、釣銭準備金紙幣、店舗回収商品券、他社回収商品券、・・・）であったり、当該カセットに対してアクセス可能な操作者の区別（店舗所属の操作者／警送業者所属の操作者）等である。
【０２０４】
貨幣処理装置１００が前記のようなカセット情報記憶部の情報を読み取る構成を採用すれば、カセットの装着不良（装着忘れ）を検知することもできる。この場合、表示・操作部７２等を介して、そのような警告表示を実施することができる。さらに、その収納部ないし硬貨収納部においてカセットの装着が不要な態様で貨幣処理装置１００を稼働する場合のために、そのような確認入力を求める旨の表示を実施してもよい。例えば、操作者の指示によって、１つのカセットに複数種類の収納対象物を混合収納してもよい。この場合、例えば、「１個カセットによる縮退運用」である旨の表示が実施されることが好ましい。
【０２０５】
なお、本発明は、前記実施の形態に限定されるものではなく、その要旨を逸脱しない範囲で、各構成要素を変形して具体化できる。また、前記実施の形態に開示されている複数の構成要素を適宜に組み合わせることにより、様々な貨幣処理装置を形成できる。あるいは、前記実施の形態に示された全構成要素から幾つかの構成要素が削除されてもよい。
【符号の説明】
【０２０６】
１００  貨幣処理装置
１０  投入部（紙葉類ホッパ）
２０  識別部
３０  搬送分類機構
３１〜３３  切換機構
３５  搬送ベルト機構
３６  紙幣制御部
４１  第１の集積部（紙葉類リジェクト部）
４２  第２の集積部（紙葉類スタッカ部）
４２ｓ  シャッタ
４３  第３の集積部（一方の紙葉類一時保留部）
４４  第４の集積部（他方の紙葉類一時保留部）
５３、５４  収納部
６３、６４  ロック機構
６３ａ、６４ａ  カセット検知センサ
６５  ロック制御部
７０  ターミナル
７１  ＩＣカードリーダ
７２  表示・操作部
７３  全体制御部
７５  消し込み部
８０  記憶部
９５  プリンタ装置
９６  Ｉ／Ｆ部
１１０  硬貨投入部（硬貨ホッパ）
１２０  硬貨識別部
１３０  硬貨搬送分類機構
１３６  硬貨制御部
１４１  第１の硬貨集積部（硬貨リジェクト部）
１４２  第２の硬貨集積部（一方の硬貨一時保留部）
１４３  第３の硬貨集積部（他方の硬貨一時保留部）
１５２、１５３  硬貨収納部
１６２、１６３、１６５  ロック機構
１６２ａ、１６３ａ  カセット検知センサ
Ｘ  制御部
Ｙ  収納検知センサ
Ｚ  サーバ
Ｕ  下部ユニット
【図１】
0006727850.tif 000002
【図２】
0006727850.tif 000003
【図３】
0006727850.tif 000004
【図４】
0006727850.tif 000005
【図５】
0006727850.tif 000006
【図６Ａ】
0006727850.tif 000007
【図６Ｂ】
0006727850.tif 000008
【図６Ｃ】
0006727850.tif 000009
【図７Ａ】
0006727850.tif 000010
【図７Ｂ】
0006727850.tif 000011
【図８】
0006727850.tif 000012
【図９】
0006727850.tif 000013
【図１０】
0006727850.tif 000014
【図１１】
0006727850.tif 000015
【図１２】
0006727850.tif 000016
【図１３】
0006727850.tif 000017
【図１４】
0006727850.tif 000018
【図１５】
0006727850.tif 000019
【図１６】
0006727850.tif 000020